(57)【要約】【課題】接続信頼性にすぐれ、外形サイズが縮小でき、大容量化が可能なチップ型固体電解コンデンサを提供すること。【解決手段】（１）絶縁板２１の上面に陽極接続ランド７と格子状にエッチングされた陰極接続ランド８を備え、下面に前記ランドにそれぞれ接続されている陽極端子４および陰極端子５を備え、前記ランドと重ならない絶縁板の位置に固定用スルーホール１１が設けられたＰＷＢ１４と、（２）陽極接続ランド７表面にレーザ溶接によって植立された導電材１２と、（３）一側面に陽極リード線２が植立され、他の面に陰極層が形成され、陽極リード線２は導電材１２に接続され、前記陰極層は導電性接着剤３を介して陰極接続ランド８に接続されて、ＰＷＢ１４の上面に搭載されたコンデンサ素子１と、（４）コンデンサ素子１を含むＰＷＢ１４の上全面を外装する外装樹脂６とからなる。【選択図】　図１
2004104048.tif 000002
【特許請求の範囲】
【請求項１】
絶縁板の上面に、第１のランド、および、格子状またはストライプ状にエッチングを施した第２のランドを備え、前記絶縁板の下面に前記第１および第２のランドにそれぞれ電気接続用のスルーホールを介して接続された第１の端子および第２の端子を備え、前記ランドとは重ならない絶縁板の位置に固定用のスルーホールが設けられたプリント回路板と、前記第１のランド表面に植立された導電材と、外表面に陽極リード線および陰極層が設けられ、前記陽極リード線が前記導電材に溶接にて接続され、前記陰極層が導電性接着剤を介して前記第２のランドに接続されて、前記プリント回路板の上面に搭載されたコンデンサ素子と、前記コンデンサ素子を含む前記プリント回路板の上全面を外装する外装樹脂とを具備することを特徴とするチップ型固体電解コンデンサ。
【請求項２】
前記コンデンサ素子が２個以上並列に接続されて前記プリント回路板の上面に配置されていることを特徴とする請求項１記載のチップ型固体電解コンデンサ。
【請求項３】
前記第１のランドと前記導電材がレーザ溶接によって接続されていることを特徴とする請求項１または２記載のチップ型固体電解コンデンサ。
【請求項４】
前記絶縁板の下面に、前記第１および第２の端子に加えて、第３および第４の端子が設けられ、前記第１のないし第４の端子の４つの位置は、ほぼ４角形を構成して、前記ほぼ４角形の対角線上の２つの端子が同極となるように、前記プリント基板の電気接続用のスルーホールに加えて内部配線および電気接続用のバイアホールを設けて接続された４端子を具備することを特徴とする請求項１、２または３記載のチップ型固体電解コンデンサ。
【請求項５】
絶縁板の上面に設けられた第１のランドおよび第２のランドを備え、前記絶縁板の下面に前記第１および第２のランドにそれぞれ電気接続用のスルーホールを介して接続された第１の端子および第２の端子を備え、前記ランドとは重ならない絶縁板の位置に固定用のスルーホールが設けられたプリント回路板と、前記第１のランド表面に植立された導電材と、外表面に陽極リード線および陰極層が設けられ、前記陽極リード線が前記導電材に接続され、前記陰極層が前記第２のランドに張り付けた導電性テープと導電性接着剤を介して前記第２のランドに接続されて、前記プリント回路板の上面に搭載されたコンデンサ素子と、前記コンデンサ素子を含む前記プリント回路板の上全面を外装する外装樹脂とを具備することを特徴とするチップ型固体電解コンデンサ。
【請求項６】
前記コンデンサ素子が２個以上並列に接続されて前記プリント回路板の上面に配置されていることを特徴とする請求項５記載のチップ型固体電解コンデンサ。
【請求項７】
前記第１のランドと前記導電材が溶接によって接続されていることを特徴とする請求項５または６記載のチップ型固体電解コンデンサ。
【請求項８】
前記絶縁板の下面に、前記第１および第２の端子に加えて、第３および第４の端子が設けられ、前記第１のないし第４の端子の４つの位置は、ほぼ４角形を構成して、前記ほぼ４角形の対角線上の２つの端子が同極となるように、前記プリント基板における電気接続用のスルーホールに加えて内部配線および電気接続用のバイアホールを設けて接続された４端子を具備することを特徴とする請求項５、６または７記載のチップ型固体電解コンデンサ。
【請求項９】
絶縁板の上面に、第１のランド、および、固定用のバイアホールを有する第２のランドを備え、前記絶縁板の下面に前記ランドのそれぞれに電気接続用のスルーホールを介して接続された第１の端子および第２の端子を備え、前記第１のランドと前記第２のランドの間に設けられ内部配線とは独立した固定用のバイアホール、および第２のランドに設けられた固定用のバイアホールを備えたプリント回路板と、前記第１のランド表面に植立された導電材と、外表面に陽極リード線および陰極層が設けられ、前記陽極リード線が前記導電材に溶接にて接続され、前記陰極層が導電性接着剤を介して前記第２のランドに接続されて、前記プリント回路板の上面に搭載されたコンデンサ素子と、前記コンデンサ素子を含む前記プリント回路板の上全面を外装する外装樹脂とを具備することを特徴とするチップ型固体電解コンデンサ。
【請求項１０】
前記コンデンサ素子が２個以上並列に接続されて前記プリント回路板の上面に配置されていることを特徴とする請求項８記載のチップ型固体電解コンデンサ。
【請求項１１】
前記第１のランドと前記導電材がレーザ溶接によって接続されていることを特徴とする請求項９または１０記載のチップ型固体電解コンデンサ。
【請求項１２】
前記絶縁板の下面に、前記第１および第２の端子に加えて、第３および第４の端子が設けられ、前記第１のないし第４の端子の４つの位置は、ほぼ４角形を構成して、前記ほぼ４角形の対角線上の２つの端子が、同極となるように、前記プリント基板における電気接続用のスルーホールに加えて内部配線および電気接続用のバイアホールを設けて接続された４端子を具備することを特徴とする請求項９、１０または１１記載のチップ型固体電解コンデンサ。
【請求項１３】
前記４端子の表面にはんだボールが設けられていることを特徴とする請求項４、８または１２記載のチップ型固体電解コンデンサ。
【請求項１４】
前記導電材が銅、銅合金または鉄ニッケル合金であることを特徴とする請求項１〜１３のいずれかに記載のチップ型固体電解コンデンサ。
【発明の詳細な説明】
【０００１】
【発明の属する技術分野】
本発明は、チップ型固体電解コンデンサに関し、より詳しくは、コンデンサ素子と接続ランドの接続の信頼性を向上させたチップ型固体電解コンデンサに関する。
【０００２】
【従来の技術】
図１２は、従来のチップ型固体電解コンデンサの一部を切り開いて示す斜視図であり、図１３は、図１２のＡ−Ａ線に沿った断面図である。図１２と図１３を参照して従来のチップ型固体電解コンデンサについて説明する。
【０００３】
従来のチップ型固体電解コンデンサは、例えば特開２００２−１３４３６２号公報に示されているように、［１］絶縁板２１の上面に陽極接続ランド７と陰極接続ランド８を備え、その下面に前記ランドと絶縁板２１に設けられた陽極スルーホール９および陰極スルーホール１０のそれぞれを介して接続されている陽極端子４および陰極端子５を備えたプリント回路板（以下、ＰＷＢと呼称することがある）１４と、［２］前記陽極接続ランド７の表面に植立された導電材１２と、［３］一側面に陽極リード線２が植立され、他の面に陰極層（図示していない）が形成され、陽極リード線２が導電材１２に接続され、該陰極層が導電性接着剤３を介して陰極接続ランド８に接続されて、ＰＷＢ１４の上面に搭載されたコンデンサ素子１と、［４］ＰＷＢ１４の上面のコンデンサ素子１を外装した外装樹脂６とを具備している。
【０００４】
【発明が解決しようとする課題】
上記の従来のチップ型固体電解コンデンサには、ＰＷＢ１４の平面状の陽極接続ランド７に導電材１２を導電性接着剤またははんだを介して植立し、陰極接続ランド８にコンデンサ素子１の陰極層を導電性接着剤３にて接着し、外装樹脂６にて外装を行っているために、実装時の熱ストレスや機械的ストレスにより、陽極接続ランド７と導電材１２の間や陰極接続ランド８と導電性接着剤３の間およびＰＷＢ１４と外装樹脂６の間に剥離が発生し、オープン不良が発生するという問題点があった。
【０００５】
本発明の目的は、上記の従来技術の問題点を解決し、陽極端子および陰極端子のフレキシビリティと寸法精度の向上と大きなコンデンサ素子領域が確保されたチップ型固体電解コンデンサを提供することにある。
【０００６】
このことは、外部端子の接続信頼性にすぐれ、外形サイズが縮小でき、大容量化が可能なチップ型固体電解コンデンサを提供することであると言い換えてもよい。
【０００７】
【課題を解決するための手段】
本発明の第１の構成のチップ型固体電解コンデンサは、絶縁板の上面に、第１のランド、および、格子状またはストライプ状にエッチングを施した第２のランドを備え、前記絶縁板の下面に前記第１および第２のランドにそれぞれ電気接続用のスルーホールを介して接続された第１の端子および第２の端子を備え、前記ランドとは重ならない絶縁板の位置に固定用のスルーホールが設けられたプリント回路板と、前記第１のランド表面に植立された導電材と、外表面に陽極リード線および陰極層が設けられ、前記陽極リード線が前記導電材に溶接にて接続され、前記陰極層が導電性接着剤を介して前記第２のランドに接続されて、前記プリント回路板の上面に搭載されたコンデンサ素子と、前記コンデンサ素子を含む前記プリント回路板の上全面を外装する外装樹脂とを具備することを特徴とする。
【０００８】
上記本発明の第１の構成において、前記コンデンサ素子は２個以上並列に接続されて前記プリント回路板の上面に配置されてもよい。
【００９】
また、前記第１のランドと前記導電材がレーザ溶接によって接続されているとよい。
【００１０】
また、前記絶縁板の下面に、前記第１および第２の端子に加えて、第３および第４の端子が設けられ、前記第１のないし第４の端子の４つの位置は、ほぼ４角形を構成して、前記ほぼ４角形の対角線上の２つの端子が同極となるように、前記プリント基板の電気接続用のスルーホールに加えて内部配線および電気接続用のバイアホールを設けて接続された４端子を具備するとよい。
【００１１】
本発明の第２の構成のチップ型固体電解コンデンサは、絶縁板の上面に設けられた第１のランドおよび第２のランドを備え、前記絶縁板の下面に前記第１および第２のランドにそれぞれ電気接続用のスルーホールを介して接続された第１の端子および第２の端子を備え、前記ランドとは重ならない絶縁板の位置に固定用のスルーホールが設けられたプリント回路板と、前記第１のランド表面に植立された導電材と、外表面に陽極リード線および陰極層が設けられ、前記陽極リード線が前記導電材に接続され、前記陰極層が前記第２のランドに張り付けた導電性テープと導電性接着剤を介して前記第２のランドに接続されて、前記プリント回路板の上面に搭載されたコンデンサ素子と、前記コンデンサ素子を含む前記プリント回路板の上全面を外装する外装樹脂とを具備することを特徴とする。
【００１２】
上記本発明の第２の構成において、前記コンデンサ素子は２個以上並列に接続されて前記プリント回路板の上面に配置されてもよい。
【００１３】
また、前記第１のランドと前記導電材が溶接によって接続されているとよい。
【００１４】
また、前記絶縁板の下面に、前記第１および第２の端子に加えて、第３および第４の端子が設けられ、前記第１のないし第４の端子の４つの位置は、ほぼ４角形を構成して、前記ほぼ４角形の対角線上の２つの端子が同極となるように、前記プリント基板における電気接続用のスルーホールに加えて内部配線および電気接続用のバイアホールを設けて接続された４端子を具備するとよい。
【００１５】
本発明の第３の構成のチップ型固体電解コンデンサは、絶縁板の上面に、第１のランド、および、固定用のバイアホールを有する第２のランドを備え、前記絶縁板の下面に前記ランドのそれぞれに電気接続用のスルーホールを介して接続された第１の端子および第２の端子を備え、前記第１のランドと前記第２のランドの間に設けられ内部配線とは独立した固定用のバイアホール、および第２のランドに設けられた固定用のバイアホールを備えたプリント回路板と、前記第１のランド表面に植立された導電材と、外表面に陽極リード線および陰極層が設けられ、前記陽極リード線が前記導電材に溶接にて接続され、前記陰極層が導電性接着剤を介して前記第２のランドに接続されて、前記プリント回路板の上面に搭載されたコンデンサ素子と、前記コンデンサ素子を含む前記プリント回路板の上全面を外装する外装樹脂とを具備することを特徴とする。
【００１６】
上記本発明の第３の構成において、前記コンデンサ素子は２個以上並列に接続されて前記プリント回路板の上面に配置されてもよい。
【００１７】
また、前記第１のランドと前記導電材がレーザ溶接によって接続されているとよい。
【００１８】
また、前記絶縁板の下面に、前記第１および第２の端子に加えて、第３および第４の端子が設けられ、前記第１のないし第４の端子の４つの位置は、ほぼ４角形を構成して、前記ほぼ４角形の対角線上の２つの端子が、同極となるように、前記プリント基板における電気接続用のスルーホールに加えて内部配線および電気接続用のバイアホールを設けて接続された４端子を具備するとよい。
【００１９】
上記本発明の１、２または３の構成のチップ型固体電解コンデンサにおいて、前記４端子の表面に、はんだボールを設け、ＢＧＡ（ボール・グリッド・アレイ）型の固体電解コンデンサにするとよい。
【００２０】
上記本発明の１、２または３の構成のチップ型固体電解コンデンサにおいて、前記導電材は銅、銅合金または鉄ニッケル合金であるとよい。
【００２１】
【発明の実施の形態】
次に、本発明の実施の形態について図面を参照して詳細に説明する。
【００２２】
（実施の形態１）図１は、本発明の第１の実施の形態におけるチップ型固体電解コンデンサの一部を切り開いて示す斜視図であり、図２は、図１のＡ−Ａ線に沿った断面図である。なお、図１において、外装樹脂の他にコンデンサ素子および陰極接続部付近が部分的に除去されている。
【００２３】
図１、図２において、図１２、図１３に示した従来例の部分と同等の部分には同じ参照番号が付せられているので重複する説明は省略する。
【００２４】
本実施の形態１のチップ型固体電解コンデンサは、［１］絶縁板２１の上面に陽極接続ランド７と格子状にエッチングを施した陰極接続ランド８を備え、その下面に該各ランドと絶縁板２１を通して設けられた陽極スルーホール９および陰極スルーホール１０のそれぞれを介して接続されている陽極端子４および陰極端子５を備え、陽極接続ランド７および陰極接続ランド８と重ならない絶縁板の位置に固定用スルーホール１１を設けたＰＷＢ１４と、［２］陽極接続ランド７の表面にレーザ溶接によって植立された導電材１２と、［３］一方の側面に陽極リード線２が植立され、他の面に陰極層（表示していない）が形成され、前記陽極リード線２を導電材１２を介して陽極接続ランド７に接続し、前記陰極層が導電性接着剤３を介して陰極接続ランド８に接続されてＰＷＢ１４の上面に搭載されたコンデンサ素子１と、［４］ＰＷＢ１４の上面のコンデンサ素子１を外装した外装樹脂６とを備えている。
【００２５】
ここで、陽極接続ランド７と導電材１２の接続はレーザ溶接によって行われており、本チップ型固体電解コンデンサの実装時のはんだ付け温度による陽極接続ランド７と導電材１２の接続信頼性の低下を防止している。
【００２６】
ＰＷＢ１４の絶縁板２１の材料には厚さ０．１〜０．３ｍｍのエポキシ樹脂、ポリイミド樹脂、フッ素樹脂等が使用できる。またＰＷＢ１４の陽極接続ランド７、陰極接続ランド８、陽極端子４および陰極端子５、並びに陽極スルーホール９および陰極スルーホール１０には銅金属膜が用いられ、表面にＮｉめっきとＡｕめっきを施すことができる。なお、ＰＷＢ１４は通常のプリント配線技術によって製造できる。
【００２７】
また、導電材１２の材料には、銅（Ｃｕ）、銅合金または鉄ニッケル（Ｆｅ−Ｎｉ）合金が使用できる。
【００２８】
コンデンサ素子１は、陽極リード線２を植立したタンタル金属からなる陽極体に、公知の手段で順次、誘電体層、固体電解質層、陰極層が形成されている。外装樹脂６にはエポキシ樹脂が使用され、トランスファーモールド成型によってＰＷＢ１４の上面に形成される。
【００２９】
次に、図１、図２を参照して本実施の形態１のチップ型固体電解コンデンサの製造方法を説明する。
【００３０】
まず、エポキシ樹脂製の両面銅張り絶縁板２１に穴あけした後、銅めっきとエッチングにより絶縁板２１の両面に矩形状の陽極接続ランド７、格子状の陰極接続ランド８、陽極端子４、陰極端子５、両面の各ランドと各端子を接続する陽極スルーホール９および陰極スルーホール１０を形成し、陽極接続ランド７および陰極接続ランド８とは回路的に重ならない独立した位置に固定用スルーホール１１を形成してＰＷＢ１４を製造する。
【００３１】
両面銅張り絶縁板の銅箔の厚さは５〜１８μｍ、銅めっきは電気めっき銅または無電解銅めっきで１０〜２５μｍの厚さに形成される。また、絶縁板２１に穴あけされる穴径（直径）は０．２５〜５ｍｍである。
【００３２】
次に、陽極接続ランド７の表面に銅（Ｃｕ）、銅合金または鉄ニッケル（Ｆｅ−Ｎｉ）合金からなる導電材１２をレーザ溶接にて接続する。
【００３３】
次に、公知の技術によりタンタル金属からなる陽極体に陽極リード線２を植立し、この陽極体に、順次、誘電体層、固体電解質層、陰極層を形成することによって形成されたコンデンサ素子１を準備する。
【００３４】
このコンデンサ素子をＰＷＢ１４の上面に配置する。陰極層がＰＷＢ１４の陰極接続ランド上に、陽極リード線２が導電材１２上に来るように位置調整し、コンデンサ素子１の陰極層を銀、銅、ニッケル等を含む導電性接着剤３を介してＰＷＢ１４の陰極接続ランド８に接続する。
【００３５】
次に、陽極リード線２を導電材１２に溶接した後、ＰＷＢ１４の上全体をエポキシ樹脂を使用してトランスファーモールド法によって樹脂外装し、チップ型固体電解コンデンサが完成する。
【００３６】
なお、大きなサイズの絶縁板を使用して、この絶縁板に複数個のＰＷＢ１４を形成し、この複数個のＰＷＢ１４の上面に複数個のコンデンサ素子１を実装してトランスファーモールド法によって樹脂外装後、切断加工によって個別のチップ型固体電解コンデンサに分離してもよい。
【００３７】
上記本発明の実施の形態１によるチップ型固体電解コンデンサは、格子状の陰極接続ランド８のエッチング部に導電性接着剤３が入り込み、また、スルーホール１１には外装樹脂６が入り込み、それぞれのアンカー効果によって剥離を防止して、オープン不良の発生を防止できる。
【００３８】
また、格子状にエッチングした陰極接続ランドに換えて、電気的導通が確保されていれば、ストライプ状にエッチングされた陰極接続ランドを用いてもよい。
【００３９】
（実施の形態２）次に、本発明の第２の実施の形態におけるチップ型固体電解コンデンサについて説明する。図３は、本発明の第２の実施の形態におけるチップ型固体電解コンデンサの一部を切り開いて示す斜視図であり、図４は、図３のＡ−Ａ線に沿った断面図である。なお、図３において、外装樹脂の他にコンデンサ素子および陰極接続部付近が部分的に除去されている。
【００４０】
本実施の形態２では、上記実施の形態１のチップ型固体電解コンデンサに対して、陰極接続ランド８を格子状にエッチングを施した形状とする代わりに、矩形状として、この陰極接続ランド８上に導電性テープ１３を張り付け、導電性接着剤３を介してコンデンサ素子１の陰極層を陰極接続ランド８に接続してＰＷＢ１４の上面にコンデンサ素子１を搭載して、外装樹脂６にて外装することを特徴としている。
【００４１】
この実施の形態２のチップ型固体電解コンデンサは、導電性接着剤３を介してコンデンサ素子１の陰極層を陰極接続ランド８に接続した際に、導電性接着剤３が硬化するまでの工程中のコンデンサ素子１の位置ずれを導電性テープ１３により防止し、硬化後も導電性テープ１３の切込みによる導電性接着剤３とのアンカー効果によって剥離を防止して、オープン不良の発生率を改善できる。
【００４２】
なお、本実施の形態のチップ型固体電解コンデンサは、導電性テープ１３を張り付ける以外はＰＷＢ１４の製造から、コンデンサ素子１をこのＰＷＢ１４に実装するまで、上記の実施の形態１と同様な工程によって行われる。
【００４３】
（実施の形態３）次に、本発明の第３の実施の形態におけるチップ型固体電解コンデンサについて説明する。図５は、本発明の第３の実施の形態におけるチップ型固体電解コンデンサの一部を切り開いて示す斜視図であり、図６は、図５のＡ−Ａ線に沿った断面図である。なお、図５において、外装樹脂の他にコンデンサ素子および陰極接続部付近が部分的に除去されている。
【００４４】
本実施の形態では、上記本発明の実施の形態１におけるチップ型固体電解コンデンサに対して、陰極接続ランド８に固定用陰極バイアホール１７を複数個施した矩形状とし、陽極接続ランド７とランドと陰極接続ランド８の間に内部配線とは独立した固定用バイアホール１８を備えたことを特徴としている。
【００４５】
この実施の形態３におけるチップ型固体電解コンデンサは、上記実施の形態１のチップ型固体電解コンデンサに対して、ＰＷＢ１４として４層板を使用している。このＰＷＢ１４の上面には、絶縁板２１の上面に陽極接続ランド７と固定用陰極バイアホール１７を施した陰極接続ランド８を備え、前記ランドと重ならない絶縁板の孤立した位置に固定用バイアホール１８を備え、その下面に陽極端子４および陰極端子５を備えて、各ランドと絶縁板２１を通して設けられた陽極スルーホール９および陰極スルーホール１０を介して接続している。
【００４６】
この後、上記の実施の形態１のチップ型固体電解コンデンサと同様にコンデンサ素子１をＰＷＢ１４の上面に実装して、外装樹脂６にて外装して第３の実施の形態のチップ型固体電解コンデンサを得る。
【００４７】
この実施の形態３のチップ型固体電解コンデンサでは、陰極接続ランド８に設けた固定用陰極バイアホール１７には導電性接着剤３が入り込み、また、絶縁板２１の上面の固定用バイアホール１８に外装樹脂６が入り込み、それぞれのアンカー効果によって剥離を防止して、オープン不良の発生を防止できる。
【００４８】
さらに、外装樹脂６に対しては、スルーホールが無く、絶縁板２１の下面に抜けないため、樹脂外装後のバリ取りを簡略化できる。
【００４９】
（実施の形態４）次に、本発明の第４の実施の形態におけるチップ型固体電解コンデンサについて説明する。図７は、本発明の第４の実施の形態におけるチップ型固体電解コンデンサの一部を切り開いて示す斜視図であり、図８は、図７のＡ−Ａ線に沿った断面図である。また、図９は、本実施の形態のチップ型固体電解コンデンサのＰＷＢの一部を切り開いて示す斜視図である。
【００５０】
この実施の形態４におけるチップ型固体電解コンデンサは、上記の実施の形態３のチップ型固体電解コンデンサと同様にＰＷＢ１４として４層板を使用している。このＰＷＢ１４の下面には、陽極端子α（４ａ）と陽極端子β（４ｂ）、並びに陰極端子α（５ａ）と陰極端子β（５ｂ）を、それぞれ、四角形の対角線上に配置した４端子が設けられ、対角線上の２端子は同極となっている。
【００５１】
ここで、陽極スルーホール９ａ、中間層の陽極回路１５、および陽極中間層バイアホール９ｂによって、陽極端子α（４ａ）と陽極端子β（４ｂ）とが接続されている。さらに、陽極リード線α（２ａ）および陽極リード線β（２ｂ）に共通な導電材１２は陽極接続ランド７を介して陽極スルーホール９ａに接続されている。その結果、陽極リード線α（２ａ）、陽極リード線β（２ｂ）、陽極端子α（４ａ）、および陽極端子β（４ｂ）のいずれの間も接続されている。
【００５２】
他方、陰極スルーホール１０ａ、中間層の陰極回路１６、および陰極中間層バイアホール１０ｂよって、陰極端子α（５ａ）と、陰極端子β（５ｂ）とが接続されている。さらに、コンデンサ素子α（１ａ）およびコンデンサ素子β（１ｂ）に共通な陰極接続ランド８と陰極回路１６とは陰極スルーホール１０ａにて接続されている。その結果、コンデンサ素子α（１ａ）の陰極層、コンデンサ素子β（１ｂ）の陰極層、陰極端子α（５ａ）、および陰極端子β（５ｂ）のいずれの間も接続されている。
【００５３】
また、陰極接続ランド８には固定用陰極バイアホール１７がＰＷＢ１４の上面の第１層目まで設けられ、陽極接続ランド７と陰極接続ランド８の間には内部配線と独立した固定用バイアホール１８を備えている。
【００５４】
実際の組み立てにおいては、ＰＷＢ１４上に導電材１２が溶接され、コンデンサ素子α（１ａ）とコンデンサ素子β（１ｂ）が並列に配置され、導電性接着剤３を介してコンデンサ素子α（１ａ）とコンデンサ素子β（１ｂ）の陰極層がそれぞれ陰極接続ランド８に接着され、さらにコンデンサ素子α（１ａ）の陽極リード線α（２ａ）とコンデンサ素子β（１ｂ）の陽極リード線β（２ｂ）がそれぞれ導電材１２に溶接され、外装樹脂６にて外装されて第４の実施の形態のチップ型固体電解コンデンサを得る。
【００５５】
この第４の実施の形態におけるチップ型固体電解コンデンサは、コンデンサ素子を複数並列に並べて１個のチップ型固体電解コンデンサとすることが可能であり、個々のコンデンサ素子の大容量化を行うことなく、容易に大容量のチップ型固体電解コンデンサを得ることができるという効果がある。
【００５６】
また、従来のチップ型固体電解コンデンサが実装時の極性を確保するため、梱包形態を一方向に極性を整列させたキャリアテープとして出荷する必要があったのに対して、実装を行うＰＷＢのランドの形状と極性を４端子構造に対応することで、梱包形態をコンデンサ形状の方向を揃えたバルク形態に変更できるという効果がある。
【００５７】
ところで、本実施の形態４においては、２個のコンデンサ素子を備える場合を説明したが、コンデンサ素子の個数が１個あるいは３個以上であっても、外部電極として４端子を備え、プリント回路基板における電気接続用のスルーホール、内部配線および電気接続用のバイアホールによって対角線上の２端子を同極とすることは、チップ型固体電解コンデンサの実装工数の低減あるいはそれに対応できる梱包形態の簡略化において有効であることは明らかである。
【００５８】
また、実施の形態１または２で説明したチップ型固体電解コンデンサの形態においても、内部配線および電気接続用のバイアホールによって第１または第２の端子に接続された２つの端子を加えて、４端子とすることの有効性は明らかである。
【００５９】
（実施の形態５）図１０は、本発明の第５の実施の形態におけるチップ型固体電解コンデンサの一部を切り開いて示す斜視図であり、図１１は、図１０のＡ−Ａ線に沿った断面図である。
【００６０】
本実施の形態では、第４の実施の形態のチップ型固体電解コンデンサに対して陽極端子および陰極端子に、それぞれ、はんだボールを接続したＢＧＡ陽極端子α（１９ａ）とＢＧＡ陽極端子β（１９ｂ）、およびＢＧＡ陰極端子α（２０ａ）とＢＧＡ陰極端子β（２０ｂ）が形成された場合である。なお、他の部分は実施の形態４と同様である。
【００６１】
この実施の形態５のチップ型固体電解コンデンサは、実施の形態４のチップ型固体電解コンデンサに対して、陽極端子および陰極端子にはんだボールを接続してＢＧＡパッケージとしているため、実装を行うＰＷＢのランドの接続面積を縮小でき、ＰＷＢのランドサイズの縮小によりランド間の配線を増やすことができるという効果がある。
【００６２】
【発明の効果】
以上に説明したように、本発明のチップ型固体電解コンデンサによって、次のような効果が得られる。
【００６３】
（１）陽極接続ランドと陽極リード線の間は導電材を介してレーザ溶接で接続され、陰極接続ランドに設けた穴に導電性接着剤が流れ込み、ＰＷＢの陽極接続ランドや陰極接続ランドと異なる個所に設けた穴に外装のモールド樹脂が流れ込むことで、対象穴によるアンカー効果により接着強度が増し、接続信頼性のすぐれたチップ型固体電解コンデンサが得られる。
【００６４】
（２）コンデンサ素子を複数並列に並べて１個のチップ型固体電解コンデンサとすることが可能であり、１個のコンデンサ素子を大容量化することなく、容易に大容量のチップ型固体電解コンデンサを得ることができる。
【００６５】
（３）ＰＷＢのランドによる陽極接続ランドや陰極接続ランドは、前加工を行うことで容易に変更可能であり、端子形状も前加工を行うことにより端子となるランド形状を４端子構造やＢＧＡパッケージ対応に容易に変更可能であり、形状の精度も高い。さらに、この４端子構造は極性管理を必要とせず、チップ型固体電解コンデンサの梱包形態を、極性方向を一定とするキャリアテープ形態からバルク形態に変更できる。
【図面の簡単な説明】
【図１】本発明の第１の実施の形態におけるチップ型固体電解コンデンサの一部を切り開いて示す斜視図。
【図２】図１のＡ−Ａ線に沿った断面図。
【図３】本発明の第２の実施の形態におけるチップ型固体電解コンデンサの一部を切り開いて示す斜視図。
【図４】図３のＡ−Ａ線に沿った断面図。
【図５】本発明の第３の実施の形態におけるチップ型固体電解コンデンサの一部を切り開いて示す斜視図。
【図６】図５のＡ−Ａ線に沿った断面図。
【図７】本発明の第４の実施の形態におけるチップ型固体電解コンデンサの一部を切り開いて示す斜視図。
【図８】図７のＡ−Ａ線に沿った断面図。
【図９】本発明の第４の実施の形態におけるチップ型固体電解コンデンサのＰＷＢの一部を切り開いて示す斜視図。
【図１０】本発明の第５の実施の形態におけるチップ型固体電解コンデンサの一部を切り開いて示す斜視図。
【図１１】図１０のＡ−Ａ線に沿った断面図。
【図１２】従来のチップ型固体電解コンデンサの一部を切り開いて示す斜視図。
【図１３】図１２のＡ−Ａ線に沿った断面図。
【符号の説明】
１　　コンデンサ素子
１ａ　　コンデンサ素子α
１ｂ　　コンデンサ素子β
２　　陽極リード線
２ａ　　陽極リード線α
２ｂ　　陽極リード線β
３　　導電性接着剤
４　　陽極端子
４ａ　　陽極端子α
４ｂ　　陽極端子β
５　　陰極端子
５ａ　　陰極端子α
５ｂ　　陰極端子β
６　　外装樹脂
７　　陽極接続ランド
８　　陰極接続ランド
９，９ａ　　陽極スルーホール
９ｂ　　陽極中間層バイアホール
１０，１０ａ　　陰極スルーホール
１０ｂ　　陰極中間層バイアホール
１１　　固定用スルーホール
１２　　導電材
１３　　導電性テープ
１４　　ＰＷＢ
１５　　陽極回路
１６　　陰極回路
１７　　固定用陰極バイアホール
１８　　固定用バイアホール
１９ａ　　ＢＧＡ陽極端子α
１９ｂ　　ＢＧＡ陽極端子β
２０ａ　　ＢＧＡ陰極端子α
２０ｂ　　ＢＧＡ陰極端子β
２１　　絶縁板
【図１】
2004104048.tif 000003
【図２】
2004104048.tif 000004
【図３】
2004104048.tif 000005
【図４】
2004104048.tif 000006
【図５】
2004104048.tif 000007
【図６】
2004104048.tif 000008
【図７】
2004104048.tif 000009
【図８】
2004104048.tif 000010
【図９】
2004104048.tif 000011
【図１０】
2004104048.tif 000012
【図１１】
2004104048.tif 000013
【図１２】
2004104048.tif 000014
【図１３】
2004104048.tif 000015